(57)【要約】【課題】  別部材を搭載することなく、またロール紙を無駄にすることなくカッターに付着した紙粉を除去すること。【解決手段】  紙粉飛び散り防止パターンとカッター紙粉除去パターンを兼ね備えたパターンをロール紙の先端カット等、記録紙の破棄する部分に、使用期限の迫っているインク色や、残量の多いインク色で印刷し、その部分をカットすることで記録紙やインクを有効に利用してカッターの紙粉を除去する。【選択図】  図１
2007136619.tif 000002
【特許請求の範囲】
【請求項１】
ロール状の記録紙の紙給紙手段と、前記記録紙への連続印刷が可能な印刷手段と、前記記録紙の排出経路途中に配置され、用紙走行方向と直交する方向に長矩形で板状の固定刃と、前記固定刃に沿って回転移動することにより記録紙をカットする回転刃と、前記回転刃を前記固定刃に押圧可能に保持する保持部材とを有し、前記保持部材を往復運動することにより記録紙のカットを行う記録装置において、記録紙にパターンを印刷し、その領域をカットすることで、回転刃に付着した記録紙の紙粉を除去することを特徴とする記録装置。
【請求項２】
前記回転刃の紙粉除去用パターンは、カット時の紙粉とびちりを防ぐための紙粉とびちり防止パターンをも兼ね備えることを特徴とする請求項１の記録装置。
【請求項３】
前記回転刃の紙粉除去用パターンは、使用期限の迫ったインクを使用して印刷することを特徴とする請求項１の記録装置。
【請求項４】
前記回転刃の紙粉除去用パターンは、残量の多いインクを使用して印刷することを特徴とする請求項１の記録装置。
【発明の詳細な説明】
【技術分野】
【０００１】
本発明は、ロール紙やロールフィルムなどを使用し、印刷後に印刷物をカッターで自動的にカットすることが可能なカッター付き記録装置の、カッターのクリーニング機能に関する。
【背景技術】
【０００２】
記録紙や記録フィルムなどのロール状記録媒体を搬送させながら画像記録を行い、印刷データに応じたサイズで記録媒体をカッターでカットし、印刷物を作成する記録装置において、コート紙のようにカットすると、コート層が剥離して粉状（紙粉）になってカッターに付着する。付着した紙粉は次の印刷後にカットするときに印字面に紙粉が付着し、印刷物を汚してしまう。また、紙粉がまだ印刷していない方の記録媒体に付着した場合、その上を印刷すると紙粉が払い落とされたときに白い点になって画像抜けとなり、印刷物を非常に劣化させてしまう。
【０００３】
これを防ぐために、カッター刃の移動時に該刃先が接触するようにクリーニング部材を固定配置させ、カッター刃の移動に伴いその刃先に付着した異物をクリーニング部材により除去する構成のものが開示されている（例えば特許文献１参照）。
【０００４】
また、紙粉の飛びちりを未然に防ぐための技術として、カットする位置に紙粉の飛び散りを防ぐパターンを印刷し、その領域をカットする方法がある（例えば、特許文献２参照）。
【特許文献１】特開平９―１１４１５４号公報
【特許文献２】特開２００３−３２６７８２号公報
【発明の開示】
【発明が解決しようとする課題】
【０００５】
しかしながら、従来の技術では、カッター刃のクリーニング部材を別部材で準備、配置しなければならない。また、紙粉の飛び散りを防ぐパターンでは、すでに付着している紙粉を十分に拭き取ることが出来ない。
【課題を解決するための手段】
【０００６】
上記目的を達成するために本発明の記録装置は以下のような構成からなる。
【０００７】
ロール状の記録紙の紙給紙手段と、前記記録紙への連続印刷が可能な印刷手段と、前記記録紙の排出経路途中に配置され、用紙走行方向と直交する方向に長矩形で板状の固定刃と、前記固定刃に沿って回転移動することにより記録紙をカットする回転刃と、前記回転刃を前記固定刃に押圧可能に保持する保持部材とを有し、前記保持部材を往復運動することにより記録紙のカットを行う記録装置において、記録紙にパターンを印刷し、その領域をカットすることで、回転刃に付着した記録紙の紙粉を除去することを特徴とする記録装置で、
前記回転刃の紙粉除去用パターンは、カット時の紙粉とびちりを防ぐための紙粉とびちり防止パターンをも兼ね備えることを特徴とし、
前記回転刃の紙粉除去用パターンは、使用期限の迫ったインクを使用して印刷することを特徴とし、
前記回転刃の紙粉除去用パターンは、残量の多いインクを使用して印刷することを特徴とする記録装置。
【発明の効果】
【０００８】
以上説明したように、本発明によれば、通常のカット時にカッターに付着した紙粉除去もでき、記録紙を無駄にせず有効に利用できる。
【発明を実施するための最良の形態】
【０００９】
以下、図面を参照して本発明の実施例を説明する。
【００１０】
図１は本発明の記録装置を上から見た図である。
【００１１】
１１はロール紙であり、給紙手段によって２の方向に搬送される。１４は１１ロール紙に印刷するときにロール紙を水平に保持するための部材である。１３のロール紙加圧ローラによってロール紙を抑えている。１８はインクの吐出機構であり、ロール紙の搬送方向１２と直行した方向に移動させながらインクを吐出させることで印刷を行っている。１５は長矩形の板状の固定刃で、１６は１５に沿って回転移動することによりロール紙をカットする回転刃である。１６の回転刃を１５の固定刃に押し付ける部材でもってロール紙の搬送方向１２と直行する方向に往復移動させることで、ロール紙をカットする。回転刃１６は通常、Aの待機位置におり、一回カットするとBの反転位置に移動する。次にカットすると待機位置Aに戻る。
【００１２】
図２は、ロール紙に印刷を行って所定のサイズにロール紙をカットした様子を示している。２１はロール紙、２２は印刷領域である。２２の印刷で指定されたサイズにロール紙をカットしたところが２４である。続いて次の印刷を行うことで、ロール紙を無駄なく利用している。
【００１３】
コート紙のような記録媒体では、カットしたときにコート層が剥離し、粉状（紙粉）となってカッターに付着する。カッターに付着した紙粉が、次にカットするときにロール紙に付着すると、紙粉は、印刷が完了した領域に飛び散って印刷物を劣化させるほか、これから印刷をする領域に飛び散って付着すると、その上を印刷してしまい、それから紙粉が取れるとその部分が白い点々となって非常に印刷物を劣化させてしまう。
【００１４】
紙粉が飛び散るのを未然に防ぐ方法として、図４のように、紙粉が飛び散らないように、カットする部分をインクで湿らせておき、その部分をカットする方法がある。４１は紙粉飛び散り防止パターンである。印刷物に４１のパターンの一部が残ってしまわないように、非常に細いパターンとなっている。その部分４２をカットする。これによって紙粉が飛び散らないようにしている。そして実際の印刷パターン４３を印刷する。
【００１５】
さらに、新しいロール紙に印刷を始めるときは、先端がきれいにカットされていないこと、さらに巻いてあるロール紙の外側のひと巻きは汚れていることがあるので、まず先端をカットしてから印刷を始めることが多い。
【００１６】
４１の紙粉飛び散り防止パターンは非常に細く、紙粉飛び散りを抑制する効果はあるが、カッターに付着した紙粉を除去することは難しい。本発明では、紙粉飛び散りと、カッターの紙粉除去の両方を実現するパターンを印刷することでロール紙の無駄となる部分を少なくし、有効に利用することができる。
【００１７】
図５（a）のように、カット位置５２の、印刷領域５３と反対の領域を太くした紙粉除去用パターン５１を印刷し、カットする。紙粉除去パターンが印刷物に一部残ってしまう領域を最小限に抑えながら、反対側は十分にしめっているため、カッターの紙粉を除去することができる。
【００１８】
また、カットが終わる前に紙粉が除去できれば十分であるので、カッターが図５（ｂ）、図５（ｃ）のように、待機位置Ａから反転位置Ｂに移動しながらカットする場合には、紙粉除去パターン５４の様に、移動するに従って太くなるパターンや、紙粉除去パターン５５の様に、反転位置Ｂに近い方のみを太くしたパターンにすると、インクの節約になる。
【００１９】
使用期限の近いインク色を使用する場合のカッター紙粉除去シーケンスの処理の流れを図３で説明する。
【００２０】
カッター紙粉除去シーケンスが開始されると、まず、インク情報を取得する（Ｓ３１）。インク情報には、インク種，インク色、製造日、残量、などが管理されている。次にもっとも使用期限の近いインク色を決定する（Ｓ３２）。次に、Ｓ３２で取得されたインク色の紙粉除去用パターンのデータをメモリ上に作成する（Ｓ３３）。次に紙粉除去用パターンを印刷する（Ｓ３４）。次に、カット位置をカッター位置まで搬送し、カッターを移動させてカットする（Ｓ３５）。以上でカッター紙粉除去シーケンスを終了する。
【００２１】
以上説明したように、紙粉飛び散り防止パターンとカッター紙粉除去パターンを兼ね備えたパターンを、ロール紙の先端カット等、記録紙の破棄する部分に印刷することで、カッターに付着した紙粉を除去するのに記録紙を無駄にせず、有効に利用することが出来る。
【００２２】
また、使用期限の迫っているインク色や、残量の多いインク色を使うことで、インクも無駄なく使うことが出来る。
【図面の簡単な説明】
【００２３】
【図１】記録装置を上から見た図
【図２】記録紙に印刷とカットした位置の図
【図３】紙粉除去シーケンス図
【図４】紙粉飛び散りパターンの説明図
【図５】本発明の紙粉飛び散りと紙粉除去を両方兼ね備えたパターンの説明図
【符号の説明】
【００２４】
１１  ロール紙
１２  用紙搬送方向
１３  ロール紙加圧ローラ
１４  ロール紙を水平に保つ部材
１５  長矩形の板状の固定刃
１６  回転刃
１８  インク吐出機構
Ａ  回転刃の待機位置
Ｂ  回転刃の反転位置
２１  ロール紙
２２  印刷領域
２４  カット位置
４１  ロール紙
４２  紙粉飛び散り防止パターン
４３  通常のカット位置
５１  カッターに付着した紙粉除去用パターンの例
５２  カッターに付着した紙粉除去用パターンの例
５３  カッターに付着した紙粉除去用パターンの例
【図１】
2007136619.tif 000003
【図２】
2007136619.tif 000004
【図３】
2007136619.tif 000005
【図４】
2007136619.tif 000006
【図５】
2007136619.tif 000007